(57)【要約】      （修正有）【課題】楽な姿勢で容易に交換でき、しかも布団や毛布がカバー内でずれないようにした布団カバーを提供する。【解決手段】矩形の袋状をなし、隣接する３つの辺が開口されて上半部１１と下半部１２からなる１枚のシーツ状に展開可能に構成される。上半部と下半部の外周縁が閉じ具によって閉じられるようになっている。矩形状の開口されていない辺の内側の両側部分には止め紐３０の一端が固定され、該止め紐３０は布団２０又は毛布のコーナー部分に取付けられた固定紐３１に係止される。【選択図】図２
0003152757.tif 000002
【実用新案登録請求の範囲】
【請求項１】
布団又は毛布を覆う布団カバーにおいて、
矩形の袋状をなし、隣接する３つの辺が開口されて上半部(11)と下半部(12)からなる１枚のシーツ状に展開可能に構成され、上半部(11)と下半部(12)の外周縁が閉じ具によって閉じられるようになっている一方、
矩形状の開口されていない辺の内側の両側部分には止め紐(30)の一端が固定され、該止め紐(30)は布団(20)又は毛布(21)のコーナー部分に取付けられた固定紐(31)に係止されることによって布団(20)又は毛布(21)のコーナー部分を仮止め可能となっていることを特徴とする布団カバー。
【請求項２】
上記閉じ具がファスナー(13)又は閉じ紐(15)である請求項１記載の布団カバー。
【請求項３】
矩形状の四隅に止め紐(30)が設けられ、布団(20)又は毛布の四隅を仮止めできるようになっている請求項１記載の布団カバー。
【請求項４】
上記上半部(11)及び／又は下半部(12)の端縁にはずれ止め片(40)が設けられ、該ずれ止め片(40)は敷布団又はマットレスの下側に巻き込まれて布団又は毛布のずれ止めをするようになっている請求項１記載の布団カバー。
【考案の詳細な説明】
【技術分野】
【０００１】
本考案は楽な姿勢で容易に交換でき、しかも布団や毛布がカバー内でずれないようにした布団カバーに関する。
【背景技術】
【０００２】
従来の布団カバー（毛布カバーも含む）では例えば図７に示されるように、袋状カバー７０の一方の長辺に開口を設け、必要に応じてファスナー７１で封鎖するようになっていた。
【０００３】
しかし、従来の布団カバーでは、カバー交換をする場合に布団や毛布を２つに折り曲げてカバー内に入れ、布団や毛布をカバー内でひろげる必要があるので、カバー内に頭を突っ込んで手で布団や毛布の四隅を延ばしてカバーの四隅に合せる必要があり、非常に煩わしく、負担も大きい。
【０００４】
これに対し、矩形袋の四辺のうち、隣接する二辺を開口させ、ファスナーで封鎖できるようにした布団カバー（特許文献１）、矩形袋の四辺のうち、三辺の大部分を開口させてファスナーで封鎖できるようにした布団カバー（特許文献２）、が提案されている。
【先行技術文献】
【特許文献】
【０００５】
【特許文献１】特開２００３−３２５２９３号公報
【特許文献２】特開平１０−２１５９９５号公報
【考案の概要】
【考案が解決しようとする課題】
【０００６】
しかし、特許文献１記載の布団カバーでは上側カバーを三角形状に捲くり上げて布団や毛布を差し込めばよいので、布団や毛布を折り曲げて入れる必要はないものの、開口されていない隣接する二辺の奥方に布団や毛布のコーナー部分を入れるときに、捲り上げたカバー内に頭を突っ込む必要があって、依然として煩わしいという問題があった。
【０００７】
他方、特許文献２記載の布団カバーでは上側カバーの大部分を開いて布団や毛布を下側カバー上にひろげればよいので、特許文献１記載の布団カバーに比較してカバーを楽に交換できるものの、カバーの奥方の二隅には手で布団や毛布のコーナー部分を押し込む必要があり、この点が改善の余地があった。
【０００８】
また、特許文献１、２記載の布団カバーでは寝返り等によって体重が加わると、布団や毛布がカバー内で動いてずれてしまうことがあり、一旦ずれると、寝心地が悪くなるという問題があった。
【０００９】
本考案は、かかる点に鑑み、楽な姿勢で容易に交換でき、しかも布団や毛布がカバー内でずれないようにした布団カバーを提供することを課題とする。
【課題を解決するための手段】
【００１０】
そこで、本考案に係る布団カバーは、布団又は毛布を覆う布団カバーにおいて、矩形の袋状をなし、隣接する３つの辺が開口されて上半部と下半部からなる１枚のシーツ状に展開可能に構成され、上半部と下半部の外周縁が閉じ具によって閉じられるようになっている一方、矩形状の開口されていない辺の内側の両側部分には止め紐の一端が固定され、該止め紐は布団又は毛布のコーナー部分に取付けられた固定紐に係止されることによって布団又は毛布のコーナー部分を仮止め可能となっていることを特徴とする。
【００１１】
本考案の特徴の１つは袋状カバーの三辺を開口させて１枚のシーツ状に展開できるようにした点にある。これにより、カバーの上半部を１枚のシーツ状に展開してカバーの下半部の上に布団や毛布を載せ、開いたカバーの上半部を折り返して布団や毛布の上に重ね、閉じ具でカバー上半部と下半部の外周縁を閉じると、カバーを装着することができ、カバー交換の負担を大幅に向上できる。
【００１２】
また、カバーの上半部を開いた状態で止め紐を布団などの固定紐に係止すると、カバーを布団や毛布のコーナー部分に仮止めすることができ、布団や毛布がずれて寝心地が悪くなるのを防止でき、又頭をカバー内に突っ込んで止め紐を固定紐に係止する必要もないので、これによってもカバー交換の負担を大幅に低減できる。
【００１３】
閉じ具には糸による縫合に代わるものであればよく、ファスナーや閉じ紐を採用することができる。
【００１４】
止め紐は少なくとも矩形状の上半部と下半部の境界部分の両側に設けられていれば、カバーを布団や毛布に仮止めすることができるが、四隅に止め紐を設け、カバーを布団や毛布の四隅に仮止めできるようにするのが好ましい。
【００１５】
また、布団カバーの上半部及び／又は下半部の端縁にずれ止め片を設けると、ずれ止め片を敷布団又はマットレスの下側に巻き込んで布団又は毛布をずれ止めすることができる。
【図面の簡単な説明】
【００１６】
【図１】本考案に係る布団カバーの好ましい実施形態を示す概略斜視図である。
【図２】上記実施形態において布団を入れる作業を模式的に示す図である。
【図３】上記実施形態における止め紐と固定紐とによって仮止めの状態を示す図である。
【図４】第２の実施形態を示す概略斜視図である。
【図５】上記実施形態において布団を入れる作業を模式的に示す図である。
【図６】第３の実施形態を示す概略斜視図である。
【図７】従来の布団カバーを示す概略斜視図である。
【考案を実施するための形態】
【００１７】
以下、本考案を図面に示す具体例に基づいて詳細に説明する。図１ないし図３は本考案に係る布団カバーの好ましい実施形態を示す。図において、布団カバー１０は例えばシーツ生地やタオル生地あるいはそれらの組合せ生地を用いて作製され、短辺と長辺からなる矩形の袋状をなし、１つの短辺と２つの長辺とが開口されて上半部１１と下半部１２とが１枚のシーツ状に展開可能に構成されている。
【００１８】
布団カバー１０の上半部１１と下半部１２の外縁にはスライド式のファスナー（閉じ具）１３が開口された三辺にわたって延びるように縫合等によって取付けられ、上半部１１と下半部１２の外縁を閉じれるようになっている。
【００１９】
また、布団カバー１０の下半部１２の四隅には止め紐３０の一端が縫合などによって取付けられ、基部と先端にはスナップボタン３０Ａが取付けられている一方、布団２０の四隅には固定紐３１が斜めに載せられて両端部を布団２０に縫合されることによって取付けられ、止め紐３０は固定紐３１の下側に挿通されて折り返され、その先端部分がスナップボタン３０Ａによって止め紐３０の基部に固定されることによって布団２０のコーナー部分に仮止めできるようになっている。
【００２０】
布団カバー１０を交換する場合、図２に示されるように、ファスナー１３を開いて布団カバー１０の上半部１１と下半部１２を１枚のシーツ状に展開し、止め紐３０を外し、汚れた布団カバー１０を布団２０から剥がす。
【００２１】
他方、新品又は洗濯した汚れていない布団カバー１０を用意し、これも１枚のシーツ状に展開しておく。そして、汚れた布団カバー１０を剥がした布団２０を汚れていない布団カバー１０の下半部１２上にひろげて載せ、止め紐３０を布団２０の固定紐３１の下側を通して折り返し、スナップボタン３０Ａで止め紐３０の先端部を基部に固定すると、布団カバー１０を布団２０のコーナー部分に仮止めすることができる。
【００２２】
布団２０の３つのコーナー部分についても同様に仮止めする。最後に、布団カバー１０の上半部１１を布団２０上に折り返し、ファスナー１３を閉じると、布団カバー１０の交換が完了する。
【００２３】
以上のように、布団カバー１０を１枚のシーツ状に展開して布団２０を交換するので、頭を布団カバー１０内に突っ込む必要がなく、交換作業が非常に楽である。
【００２４】
また、止め紐３０で布団カバー１０と布団２０の四隅を仮止めするので、寝返り等によって体重が加わっても布団２０が布団カバー１０内でずれることはなく、快適な寝心地を保持できる。
【００２５】
しかも、止め紐３０で布団カバー１０と布団２０の四隅を仮止めする際に、布団カバー２０を１枚のシーツ状に展開しているので、仮止め作業を楽に行うことができ、カバー交換に要する主婦の労力を大幅に軽減できる。
【００２６】
図４及び図５は第２の実施形態を示し、図において図１ないし図３と同一符号は同一又は相当部分を示す。本例では布団カバー１０は布団２０ではなく毛布２１のカバーに用いられ、又布団カバー１０の上半部１１と下半部１２の外縁をファスナー１３ではなく、閉じ紐１５によって閉じるようにしている。
【００２７】
このように、本例の布団カバー１０は毛布２１のカバーに用いることもでき、第１の実施形態と同様の作用を奏する。
【００２８】
図６は第３の実施形態を示し、図において図１ないし図３と同一符号は同一又は相当部分を示す。本例は掛布団に適用した例であって、布団カバー１０の下半部１２の端縁にはずれ止めシーツ（ずれ止め片）４０が一体に形成され、ずれ止めシーツ４０は敷布団又はベッドのマットレスの下側に巻き込んで敷布団をずれ止めするようになっている。なお、ずれ止めシーツは掛毛布の布団カバーにも同様に適用できる。
【符号の説明】
【００２９】
１０      布団カバー
１１      上半部
１２      下半部
１３      ファスナー（閉じ具）
１５      閉じ紐（閉じ具）
２０      布団
２１      毛布
３０      止め紐
３１      固定紐
４０      ずれ止めシーツ（ずれ止め片）
【図１】
0003152757.tif 000003
【図２】
0003152757.tif 000004
【図３】
0003152757.tif 000005
【図４】
0003152757.tif 000006
【図５】
0003152757.tif 000007
【図６】
0003152757.tif 000008
【図７】
0003152757.tif 000009